(57)【要約】【課題】機器の状態や故障の詳細情報を表示することにより、機器のメンテナンスや修理を的確に行うことを目的とする。【解決手段】局部を洗浄する洗浄手段２と、制御手段３と、制御状態を表示する表示手段４と、操作手段５と、制御手段３の状態を監視する監視手段６と、監視情報を記憶する記憶手段７と、洗浄便座１の外部にある送受信機器９との信号の送受信を行う通信手段８を備えたことにより、予め前記監視手段６が監視する状態を詳細に決めておけば、前期洗浄便座１の詳細な機器の情報や故障の状態を確認することができる。【選択図】図１
2009127237.tif 000002
【特許請求の範囲】
【請求項１】
洗浄便座において、局部を洗浄する洗浄手段と、前記洗浄手段を制御する制御手段と、前記制御手段に接続され前記制御手段の制御状態を表示する表示手段と、前記制御手段に接続され使用者が前記制御手段に制御指令を伝達するための操作手段と、前記制御手段に接続され前記制御手段の状態を監視する監視手段と、前記監視手段に接続され前記監視手段の監視情報を記憶する記憶手段と、前記監視手段に接続され予め決めておいた通信規則に従って前記洗浄便座の外部にある送受信機器との信号の送受信を行う通信手段を備えた洗浄便座装置。
【請求項２】
前記監視手段と前期記憶手段と前記通信手段は、前記制御手段とは別に独立して動作する、請求項１記載の洗浄便座装置。
【発明の詳細な説明】
【技術分野】
【０００１】
本発明は洗浄便座装置に関するものである。
【背景技術】
【０００２】
従来、この種の洗浄便座は、機器の異常時には通常使用時の表示機能を使って、たとえば通常とは異なる表示パターンを表示することによってエラーの種類を表現していた。図３は、そのブロック図である。使用者によって操作手段５のたとえばスイッチが押されると、操作手段５からの信号を検知した制御手段３は洗浄手段２を作動させて洗浄動作を開始し、同時に表示手段４のたとえばランプを点灯させる。このとき制御手段３に何らかの故障が発生すると制御手段３は表示手段４のランプを点滅させて故障を報知していた（たとえば、特許文献１参照）。
【特許文献１】特開平５−２９５７８３号公報
【発明の開示】
【発明が解決しようとする課題】
【０００３】
しかしながら、前記従来の構成の場合、表示手段４を故障表示に共用するため、表示方法や種類に制限ができるため、詳細に機器の状態や故障の種類を表示することが難しい。
【０００４】
本発明は、前記従来の課題を解決するもので、機器の状態や故障の詳細情報を表示することにより、機器のメンテナンスや修理を的確に行うことができる洗浄便座装置を提供することを目的とする。
【課題を解決するための手段】
【０００５】
前記従来の課題を解決するため、本発明の洗浄便座は、局部を洗浄する洗浄手段と、制御手段と、制御状態を表示する表示手段と、操作手段と、制御手段の状態を監視する監視手段と、監視情報を記憶する記憶手段と、洗浄便座の外部にある送受信機器との信号の送受信を行う通信手段を備えた洗浄便座装置である。
【０００６】
これにより、予め前記監視手段が監視する状態を詳細に決めておけば、前期洗浄便座の詳細な機器の情報や故障の状態を確認することができる。
【発明の効果】
【０００７】
本発明の洗浄便座は、監視手段が監視している情報を記憶手段に記憶し、その記憶した内容を外部の送受信機器に送信することで、予め監視手段が監視する状態を詳細に決めておけば、洗浄便座の詳細な機器の情報や故障の状態を確認することができる。
【発明を実施するための最良の形態】
【０００８】
第１の発明は、洗浄便座において、局部を洗浄する洗浄手段と、前記洗浄手段を制御する制御手段と、前記制御手段に接続され前記制御手段の制御状態を表示する表示手段と、前記制御手段に接続され使用者が前記制御手段に制御指令を伝達するための操作手段と、前記制御手段に接続され前記制御手段の状態を監視する監視手段と、前記監視手段に接続され前記監視手段の監視情報を記憶する記憶手段と、前記監視手段に接続され予め決めておいた通信規則に従って前記洗浄便座の外部にある送受信機器との信号の送受信を行う通信手段を備えた洗浄便座装置とすることで、予め前記監視手段が監視する状態を詳細に決めておけば、前期洗浄便座の詳細な機器の情報や故障の状態を確認することができる。
【０００９】
第２の発明は、前記第１の発明に加え、前記監視手段と前期記憶手段と前記通信手段は
、前記制御手段とは別に独立して動作する、請求項１記載の洗浄便座装置とすることで、前期制御手段そのものが故障してしまった場合でも、前記制御手段から独立した前記監視手段と前期記憶手段と前記通信手段とによって前期洗浄便座の詳細な機器の情報や故障の状態を確認することができる。
【００１０】
以下、本発明の実施の形態について、図面を参照しながら説明する。なお、この実施の形態によって本発明が限定されるものではない。
【００１１】
（実施の形態１）
図１は、本発明の実施の形態１における洗浄便座装置のブロック図を示している。
【００１２】
図１において、局部を洗浄する洗浄手段２は制御手段３によって制御され、表示手段４は制御手段３からの信号に従って表示を行う。使用者が操作手段５を操作するとその信号は制御手段３に伝えられる。監視手段６は制御手段３の状態を監視し、監視した情報を記憶手段７に記憶する。記憶手段７に記憶された情報は通信手段８によって送受信機器９に伝達される。
【００１３】
以上のように構成された洗浄便座装置について、以下その動作、作用を説明する。
【００１４】
洗浄便座１の使用者によって操作手段５が操作されると、操作手段５からの信号を検知した制御手段３は洗浄手段２を作動させて洗浄動作を行う。このとき監視手段６は制御手段３の動作について、たとえば制御手段３から洗浄手段２に伝わる信号が正常かどうかとか、操作手段５からの信号と制御手段３の動作内容が一致しているかどうかとかを監視し、監視した項目を記憶手段７に記憶する。送受信機器９は通信手段８を通して監視手段６と通信を行い記憶手段７に記憶された項目を受信する。このとき、監視手段６が監視する内容を予め詳細に決めておくことで、洗浄便座１の動作状態や故障の状態を送受信機器９を使って詳細に確認することができる。
【００１５】
（実施の形態２）
図２は、本発明の実施の形態２における洗浄便座装置のブロック図を示している。
【００１６】
図２において、局部を洗浄する洗浄手段２は制御手段３によって制御され、表示手段４は制御手段３からの信号に従って表示を行う。使用者が操作手段５を操作するとその信号は制御手段３に伝えられる。監視手段６は制御手段３の状態を監視し、監視した情報を記憶手段７に記憶する。記憶手段７に記憶された情報は通信手段８によって送受信機器９に伝達される。
【００１７】
以上のように構成された洗浄便座装置について、以下その動作、作用を説明する。
【００１８】
洗浄便座１の使用者によって操作手段５が操作されると、操作手段５からの信号を検知した制御手段３は洗浄手段２を作動させて洗浄動作を行う。このとき監視手段６は制御手段３の動作について、たとえば制御手段３から洗浄手段２に伝わる信号が正常かどうかとか、操作手段５からの信号と制御手段３の動作内容が一致しているかどうかとかを監視し、監視した項目を記憶手段７に記憶する。送受信機器９は通信手段８を通して監視手段６と通信を行い記憶手段７に記憶された項目を受信する。このとき、監視手段６が監視する内容を予め詳細に決めておくことで、洗浄便座１の動作状態や故障の状態を送受信機器９を使って詳細に確認することができるうえ、監視手段６と記憶手段７と通信手段８は制御手段３とは独立して動作するため、制御手段３が故障して動作不能になった場合でも、記憶手段７に記憶された動作状態や故障の状態を送受信機器９を使って詳細に確認することができる。
【００１９】
なお、本実施の形態においては、通信手段８と送受信機器９との接続を明記していないが、通信手段８と送受信機器９との接続は、有線式でも、無線式の通信でも、または電源に通信信号を重畳させるような手段を用いても可能である。
【００２０】
また、送受信機器９は、予め通信手段８に接続していてもいいし洗浄便座１が作動している途中で通信手段８に接続しても可能である。
【産業上の利用可能性】
【００２１】
以上のように、本発明にかかる洗浄便座装置は、詳細な機器の情報や故障の状態を確認することができるので、他の家電機器の監視装置にも適用できる。
【図面の簡単な説明】
【００２２】
【図１】本発明の実施の形態１における洗浄便座装置のブロック図
【図２】本発明の実施の形態２における洗浄便座装置のブロック図
【図３】従来の洗浄便座のブロック図
【符号の説明】
【００２３】
１  洗浄便座
２  洗浄手段
３  制御手段
４  表示手段
５  操作手段
６  監視手段
７  記憶手段
８  通信手段
９  送受信機器
【図１】
2009127237.tif 000003
【図２】
2009127237.tif 000004
【図３】
2009127237.tif 000005